(57)【特許請求の範囲】
【請求項１】
カラーの表示器（１１）と、
前記表示器（１１）に画像を表示させる表示制御装置（１３、１４、１５、１６）と、
前記表示器と前記表示制御装置（１３、１４、１５、１６）とを接続する接続線（１８）とを備え、
前記表示制御装置（１３、１４、１５、１６）は、前記表示器（１１）の上に、互いに異なる混合色による複数の階調模様を、互いに対比可能な状態で表示する表示手段（１３２）を備え、
ひとつの前記階調模様は、その混合色に成分として含まれる少なくとも２つの基本色の階調だけを変化させることによって表現されており、
複数の前記階調模様は、前記混合色のグラデーションであって、前記階調の変化方向が互いに一致するように並べられていることを特徴とする画像表示装置。
【請求項２】
前記表示手段（１３２）は、複数の前記階調模様を、並べて表示することを特徴とする請求項１に記載の画像表示装置。
【請求項３】
前記表示手段（１３２）は、複数の基本色のそれぞれの階調を示すデジタルデータを出力するよう構成されており、複数の前記混合色のそれぞれは、少なくとも２つの前記基本色を含むことを特徴とする請求項１または２に記載の画像表示装置。
【請求項４】
複数の前記混合色は、シアン、マゼンタ、イエローを含むことを特徴とする請求項３に記載の画像表示装置。
【請求項５】
前記表示手段（１３２）は、階調を示すデジタルデータによって提供可能な最高の分解能によって前記階調模様を表示することを特徴とする請求項１から４のいずれかに記載の画像表示装置。
【請求項６】
カラーの表示器（１１）と前記表示器（１１）に画像を表示させる表示制御装置（１３、１４、１５、１６）とを接続線（１８）によって接続し、
前記表示制御装置（１３、１４、１５、１６）によって、前記表示器（１１）の上に、互いに異なる混合色による複数の階調模様を、互いに対比可能な状態で表示し、
複数の前記階調模様の差の有無に基づいて前記接続線（１８）の正常または異常を判定する画像表示装置の検査方法であって、
ひとつの前記階調模様は、その混合色に成分として含まれる少なくとも２つの基本色の階調だけを変化させることによって表現されており、
複数の前記階調模様は、前記混合色のグラデーションであって、前記階調の変化方向が互いに一致するように並べられていることを特徴とする画像表示装置の検査方法。
【請求項７】
複数の前記階調模様は並べて表示されることを特徴とする請求項６に記載の画像表示装置の検査方法。
【請求項８】
前記階調模様は、複数の基本色のそれぞれの階調を示すデジタルデータによって構成されており、複数の前記混合色のそれぞれは、少なくとも２つの前記基本色を含むことを特徴とする請求項６または７に記載の画像表示装置の検査方法。
【請求項９】
複数の前記混合色は、シアン、マゼンタ、イエローを含むことを特徴とする請求項８に記載の画像表示装置の検査方法。
【請求項１０】
前記階調模様は、階調を示すデジタルデータによって提供可能な最高の分解能によって表示されることを特徴とする請求項６から９のいずれかに記載の画像表示装置の検査方法。
【発明の詳細な説明】
【技術分野】
【０００１】
本発明は、画像表示装置および画像表示装置の製造方法に関するものである。
【背景技術】
【０００２】
従来から、所定のテストパターンを表示する画像表示装置が知られている。また、画像表示装置に所定のテストパターンを表示させることにより、画像表示装置の正常または異常を判定する検査工程を含む画像表示装置の製造方法が知られている。例えば、特許文献１および特許文献２の画像表示装置は、特定の色の階調を徐々に変化させた階調模様、すなわちグラデーションを表示している。
【０００３】
また、特許文献３は、映像信号として供給されたデジタルデータの最下位ビットの欠落を検出するために、受信したデジタルデータに基づく階調模様と、反転されたデジタルデータに基づく階調模様とを提供することを提案している。この構成によると、最下位ビットに欠落があっても、階調の差が大きく表示される。このため、最下位ビットの欠落を確実に検査することが可能となる。
【０００４】
また、特許文献４の画像表示装置は、デジタルデータを上位ビット群と下位ビット群とに分け、上位ビット群による階調模様と、下位ビット群による階調模様とを画面上に並べて表示することを提案している。
【先行技術文献】
【特許文献】
【０００５】
【特許文献１】特開２００８−１７７７０４号公報
【特許文献２】特開２０１０−８７７９３号公報
【特許文献３】特開２００６−２４３４２０号公報
【特許文献４】特開２００７−３２２５３３号公報
【発明の概要】
【発明が解決しようとする課題】
【０００６】
上記従来技術では、依然として、正常時における階調模様と、異常時における階調模様との差を識別することが困難であった。このような識別の困難性は、人が検査する場合であっても、検査装置によって検査する場合であっても同様であった。
【０００７】
また、ひとつの色のデジタルデータに異常があり、他の色のデジタルデータに異常がない場合、それらが混合されて表示されると、正常時の階調模様と異常時の階調模様との差を識別することが困難であった。例えば、ＲＧＢを混合して白と黒との間のグラデーションを階調模様として表示する場合、ＲＧＢのいずれかひとつのひとつのビットの欠落を、階調模様から検知することは困難であった。
【０００８】
本発明は上記問題点に鑑みてなされたものであり、その目的は、色の階調を指定するデジタルデータの一部のビットに異常があることを、階調模様の表示によって検知可能にした画像表示装置およびそれを用いた画像表示装置の製造方法を提供することにある。
【０００９】
本発明の他の目的は、画像表示装置におけるデジタルデータの下位ビットの異常を、階調模様の表示によって検知可能にした画像表示装置およびそれを用いた画像表示装置の製造方法を提供することにある。
【００１０】
本発明の他の目的は、複数の色に対応する複数のデジタルデータのうちのいずれかひとつのデジタルデータの下位ビットの異常を、階調模様の表示によって検知可能にした画像表示装置およびそれを用いた画像表示装置の製造方法を提供することにある。
【課題を解決するための手段】
【００１１】
本発明は上記目的を達成するために以下の技術的手段を採用する。
【００１２】
請求項１に記載の発明は、カラーの表示器（１１）と、表示器（１１）に画像を表示させる表示制御装置（１３、１４、１５、１６）と、表示器と表示制御装置（１３、１４、１５、１６）とを接続する接続線（１８）とを備え、表示制御装置（１３、１４、１５、１６）は、表示器（１１）の上に、互いに異なる混合色による複数の階調模様を、互いに対比可能な状態で表示する表示手段（１３２）を備え、ひとつの階調模様は、その混合色に成分として含まれる少なくとも２つの基本色の階調だけを変化させることによって表現されており、複数の階調模様は、混合色のグラデーションであって、階調の変化方向が互いに一致するように並べられていることを特徴とする。
【００１３】
この発明によると、接続線に断線などの異常があることを、複数の階調模様の差によって表示することができる。しかも、混合色を採用したことによって鮮明な見やすい表示を提供することができる。この発明によると、少なくとも２つの基本色の階調を変化させて混合色が表現される。このため、複数の階調模様の差から、異常を生じている基本色を特定することが可能である。
【００１４】
請求項２に記載の発明は、表示手段（１３２）は、複数の階調模様を、並べて表示することを特徴とする。この発明によると、複数の階調模様を対比することによって、複数の階調模様の差を容易に検知することができる。
【００１５】
請求項３に記載の発明は、表示手段（１３２）は、複数の基本色のそれぞれの階調を示すデジタルデータを出力するよう構成されており、複数の混合色のそれぞれは、少なくとも２つの基本色を含むことを特徴とする。この発明によると、少なくとも２つの基本色の階調を変化させて混合色が表現される。このため、複数の階調模様の差から、異常を生じている基本色を特定することが可能である。
【００１６】
請求項４に記載の発明は、複数の混合色は、シアン、マゼンタ、イエローを含むことを特徴とする。この発明によると、ＲＧＢシステムに有効な装置を提供することができる。
【００１７】
請求項５に記載の発明は、表示手段（１３２）は、階調を示すデジタルデータによって提供可能な最高の分解能によって階調模様を表示することを特徴とする。この発明によると、最小ビットの欠落を含む異常を検出することができる。
【００１８】
請求項６に記載の発明は、カラーの表示器（１１）と表示器（１１）に画像を表示させる表示制御装置（１３、１４、１５、１６）とを接続線（１８）によって接続し、表示制御装置（１３、１４、１５、１６）によって、表示器（１１）の上に、互いに異なる混合色による複数の階調模様を、互いに対比可能な状態で表示し、複数の階調模様の差の有無に基づいて接続線（１８）の正常または異常を判定する画像表示装置の検査方法であって、ひとつの階調模様は、その混合色に成分として含まれる少なくとも２つの基本色の階調だけを変化させることによって表現されており、複数の階調模様は、混合色のグラデーションであって、階調の変化方向が互いに一致するように並べられていることを特徴とする。
【００１９】
この発明によると、接続線に断線などの異常があることを、複数の階調模様の差によって表示することができる。しかも、混合色を採用したことによって鮮明な見やすい表示を提供することができる。この結果、画像表示装置の製造工程において、良品を選び出すことができる。この発明によると、少なくとも２つの基本色の階調を変化させて混合色が表現される。このため、複数の階調模様の差から、異常を生じている基本色を特定することが可能である。
【００２０】
請求項７に記載の発明は、複数の階調模様は並べて表示されることを特徴とする。この発明によると、複数の階調模様を対比することによって、複数の階調模様の差を容易に検知することができる。
【００２１】
請求項８に記載の発明は、階調模様は、複数の基本色のそれぞれの階調を示すデジタルデータによって構成されており、複数の混合色のそれぞれは、少なくとも２つの基本色を含むことを特徴とする。この発明によると、少なくとも２つの基本色の階調を変化させて混合色が表現される。このため、複数の階調模様の差から、異常を生じている基本色を特定することが可能である。
【００２２】
請求項９に記載の発明は、複数の混合色は、シアン、マゼンタ、イエローを含むことを特徴とする。この発明によると、ＲＧＢシステムに有効な装置を提供することができる。
【００２３】
請求項１０に記載の発明は、階調模様は、階調を示すデジタルデータによって提供可能な最高の分解能によって表示されることを特徴とする。この発明によると、最小ビットの欠落を含む異常を検出することができる。
【００２４】
なお、特許請求の範囲および上記手段の項に記載した括弧内の符号は、ひとつの態様として後述する実施形態に記載の具体的手段との対応関係を示すものであって、本発明の技術的範囲を限定するものではない。
【図面の簡単な説明】
【００２５】
【図１】本発明を適用した第１実施形態に係る車両用表示装置を示すブロック図である。
【図２】第１実施形態の車両用表示装置の作動状態の遷移を示す状態遷移図である。
【図３】第１実施形態に係るテストパターンを示す平面図である。
【図４】第１実施形態に係るテストパターンの正常時の階調を示す平面図である。
【図５】第１実施形態に係るテストパターンの異常時の階調を示す平面図である。
【発明を実施するための形態】
【００２６】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組合せが可能であることを明示している部分同士の組合せばかりではなく、特に組合せに支障が生じなければ、明示してなくとも実施形態同士を部分的に組み合せることも可能である。
【００２７】
（第１実施形態）
図１は、本発明を適用した第１実施形態に係る車両用表示装置を示すブロック図である。車両用の画像表示装置１０は、車載情報システム１の一部を構成している。車載情報システム１は、車両に搭載され、静止画像および動画像を表示する。
【００２８】
車両情報システム１は、静止画像および動画像のソースとして、車載映像機器２０と、外部カメラ３０とを備える。車載映像機器２０は、ＤＶＤ再生装置などの記録媒体再生装置、ナビゲーション装置などの車載情報機器、およびテレビジョン放送を受信する放送受信装置などを含むことができる。車載映像機器２０からは、第１画像信号が出力される。第１画像信号は、第１映像信号とも呼ぶことができる。外部カメラ３０は、車両の周囲の道路などの風景を撮影し、第２画像信号を出力する。
【００２９】
車載情報システム１は、画像を切り替える指令信号（コマンド）などを入力するためのスイッチ装置４０を備える。スイッチ装置４０は、例えば、電源スイッチを備える。また、通常の機能としての表示モードから、検査モードまたは調整モードといったメンテナンスモードへ移行するためのスイッチを備えることができる。さらに、スイッチ装置４０は、検査モードまたは調整モードの次工程への進行を指令するためのスイッチ、および検査モードまたは調整モードを終了し、表示モードへ復帰することを指令するためのスイッチを備えることができる。
【００３０】
画像表示装置１０は、カラーの表示器１１と、この表示器１１のためのバックライト式の照明装置１２とを備えている。表示器１１は、カラーＴＦＴ液晶表示器であって、入力信号に応じてカラー画像を表示する。照明装置１２は、表示器１１の背面から照明光を供給する。
【００３１】
画像表示装置１０は、表示制御回路１３と、ＲＯＭ１４と、ＶＲＡＭ１５と、ＬＶＤＳエンコーダ１６と、ＣＰＵ１７とを備える。ＲＯＭ１４は、記録媒体として設けられた不揮発性メモリである。ＲＯＭ１４は、後述するテストパターンを記憶する記憶手段を提供する。ＶＲＡＭ１５は、記録媒体として設けられた画像用読み書き可能メモリである。ＬＶＤＳ（Low Voltage Differential Signaling）エンコーダ１６は、表示制御回路１３から供給される画像信号を変換する変換回路である。ＣＰＵ１７は、制御装置として設けられた演算処理装置であって、画像表示装置１０の構成要素を制御する。ＣＰＵ１７は、スイッチ装置４０に接続されている。ＣＰＵ１７は、スイッチ装置４０から指令信号を入力する。さらに、ＣＰＵ１７は、照明装置１２に接続されている。ＣＰＵ１７は、スイッチ装置４０から入力される指令信号に応じて、照明装置１２を点灯させ、または消灯させる。
【００３２】
表示制御回路１３と、ＲＯＭ１４と、ＶＲＡＭ１５と、ＬＶＤＳエンコーダ１６と、ＣＰＵ１７とは、表示制御装置を構成している。この表示制御装置は、接続線１８によって表示器１１と接続されている。接続線１８は、ＬＶＤＳエンコーダ１６と表示器１１との間を接続している。接続線１８は、複数の基本色のそれぞれの階調を示すデジタルデータを伝送する。
【００３３】
接続線１８は、同期信号としてのクロック信号を伝達するＤＯＴ＿ＣＬＫ線と、ＲＧＢの複数の色のそれぞれの階調を指定するデジタルデータを伝送するためのデジタル信号線群とを含む。デジタル信号線群は、赤色の階調を示すＤ＿Ｒ線群と、緑色の階調を示すＤ＿Ｇ線群と、青色の階調を示すＤ＿Ｂ線群とを含む。Ｄ＿Ｒ線群、Ｄ＿Ｇ線群、Ｄ＿Ｂ線群のそれぞれは、８ビットの平行線である。８ビットのうちの６ビットが階調の指令のために用いられる。よって、階調は、６４段階である。接続線１８の少なくとも一部には、両端にコネクタを有する平行線が用いられる。例えば、平行線には、ＦＰＣと呼ばれるフレキシブルプリント板が用いられる。このため、コネクタにおいて接触不良に起因する断線を生じるおそれがある。
【００３４】
図２は、画像表示装置１０の作動状態の遷移を示す状態遷移図である。画像表示装置１０は、表示器１１を停止させる停止モード１００と、表示器１１を活性化させる動作モード１１０とを備える。停止モード１００においては、表示器１１には何も表示されない。動作モード１１０においては、表示器１１に画像が表示される。動作モード１１０には、表示モード１２０と、検査モード１３０と、調整モード１４０とが含まれる。検査モード１３０は、画像表示装置１０の表示機能が正常に発揮されるか否かを判定するための表示モードである。検査モード１３０は、工場からの出荷時に起動可能に構成されている。検査モード１３０を実行するためのソフトウェアおよび画像データは、ＲＯＭ１４内に格納することができる。検査モード１３０は、画像表示装置１０が工場から出荷される時にのみ起動可能に構成することができる。さらに、画像表示装置１０は、工場出荷時にのみ、検査モード１３０を実行するためのソフトウェアおよび画像データを画像表示装置１０に読み込み、実行するように構成されてもよい。
【００３５】
表示モード１２０には、第１画像モード１２１と、第２画像モード１２２とが含まれる。第１画像モード１２１においては、車載映像機器２０からの第１画像信号に基づく画像が表示器１１に表示される。第２画像モード１２２においては、外部カメラ３０からの第２画像信号に基づく画像が表示器１１に表示される。
【００３６】
検査モード１３０においては、表示器１１に所定のテストパターンが表示される。まず、第１検査画面モード１３１においては、表示器１１の全面を白色にする白画面と呼ばれるテストパターンが表示器１１に表示される。第１検査画面モード１３１においては、表示単位の不点灯が検知される。次に、第２検査画面モード１３２においては、多混合色階調模様と呼ばれるテストパターンが表示器１１に表示される。第２検査画面モード１３２においては、互いに異なる混合色による複数の階調模様（グラデーション）を表示することによって、色合いの変化、輝度の変化が、所定の基準を満たすか否かが判定される。さらに、階調模様に表れる階調の変化によって、階調を指定するデジタルデータの異常が検査される。第２検査画面モード１３２は、画像表示装置１０に備えられたハードウェアおよび／またはソフトウェアによって提供されている。第２検査画面モード１３２は、複数の階調模様を表示するための表示手段を提供する。第３検査画面モード１３３においては、表示器１１の全面を黒色にする黒画面と呼ばれるテストパターンが表示器１１に表示される。第３検査画面モード１３３においては、表示単位の輝点が検知される。
【００３７】
検査モード１３０は、画像表示装置１０の製造工程の一部において実行される。検査モード１３０は、表示器１１と表示制御装置とを接続線１８によって接続した後に、実行される。とりわけ、第２検査画面モード１３２においては、表示制御装置によって、表示器１１の上に、複数の混合色による複数の階調模様を、互いに対比可能な状態で表示する。これにより、画像表示装置の製造方法に携わる検査者または同製造方法において使用される検査装置が、複数の階調模様の差の有無に基づいて接続線１８の正常または異常を判定する。例えば、階調模様の差がなければ画像表示装置１０が正常であると判定でき、階調模様に差があれば画像表示装置１０が異常であると判定される。
【００３８】
調整モード１４０においては、表示器１１に所定のテストパターンなどの画像が表示される。まず、色調整モード１４１においては、表示器１１の表示色を調整するために適した画像が表示される。色調整モード１４１においては、表示色を調整するようにスイッチ装置４０が操作され、調整量が表示制御回路１３に設定される。次に、輝度調整モード１４２においては、表示器１１の輝度を調整するために適した画像が表示される。輝度調整モード１４２においては、輝度を調整するようにスイッチ装置４０が操作され、調整量が表示制御回路１３に設定される。
【００３９】
図示される複数のモード間の切替は、スイッチ装置４０に含まれるスイッチ手段の操作によって入力される指令信号に応答して実行される。指令信号には、図示される「電源ＯＮ」、「電源ＯＦＦ」、「切替」、「検査」、「調整」、「次工程」、「終了」などが含まれる。「電源ＯＮ」は、電源スイッチをＯＮ状態に操作することで入力される。「電源ＯＦＦ」は、電源スイッチをＯＦＦ状態に操作することで入力される。「切替」は、切替スイッチを操作することによって入力される。「検査」は、検査モード１３０への移行を指令するためのスイッチの操作によって入力される。検査モード１３０は、工場出荷時に実行されるモードであるため、「検査」の入力は、複数のスイッチの組み合わせ操作、あるいは工場出荷時においてのみ可能な操作によって入力されるように構成することができる。「調整」は、調整モード１４０への移行を指令するためのスイッチの操作によって入力される。「次工程」は、次工程への移行を指令するためのスイッチの操作によって入力される。「終了」は、検査モード１３０または調整モード１４０から表示モード１２０への復帰を指令するためのスイッチの操作によって入力される。
【００４０】
図３は、第２検査画面モード１３２で表示されるテストパターン１１ａを示す平面図である。テストパターンの表示位置を示す座標情報、表示色を示す色情報、階調を示す階調情報は、ＲＯＭ１４に記録されている。
【００４１】
テストパターン１１ａは、表示器１１の所定領域に表示される。テストパターン１１ａは、複数の階調模様から構成される。階調模様は、グラデーションとも呼ぶことができる。テストパターン１１ａは、Ｃ（シアン）の階調模様１１ｃと、Ｍ（マゼンタ）の階調模様１１ｍと、Ｙ（イエロー）の階調模様１１ｙとを有する。
【００４２】
複数の階調模様は、異なる混合色によって表示されている。混合色は、複数の基本色のうちの少なくとも２つを混合することによって得られる色である。したがって、混合色は、少なくとも２つの基本色を成分として含んでいる。この実施形態では、Ｒ（レッド）、Ｇ（グリーン）、Ｂ（ブルー）の三色を基本色としている。従って、Ｃ（シアン）、Ｍ（マゼンタ）、Ｙ（イエロー）の三色の混合色が作られる。
【００４３】
基本色は、階調を示すデジタルデータによって表現される。基本色は、６ビットの情報によって０から６３の６４段階の階調を与えられている。
【００４４】
混合色は、同じ階調をもつ２つの基本色から構成されている。例えば、混合色Ｍは、同じ階調をもつ基本色Ｒと基本色Ｂから構成されている。さらに、混合色Ｍの階調模様は、基本色Ｒと基本色Ｂの階調だけを変化させて表現されている。つまり、ひとつの階調模様は、その混合色に成分として含まれる基本色の階調だけを変化させることによって表現されている。
【００４５】
ひとつの階調模様を表示するためのデジタルデータは、階調の最大値から最小値までを最高の分解能によって表示するように、与えられる。ひとつの階調模様は、混合色から、表示器１１の背景色までのグラデーションを表している。例えば、Ｍの階調模様１１ｍは、マゼンタ色から黒色までのグラデーションを表している。ひとつの階調模様は、６４個のマス目から構成されている。それぞれのマス目が、異なる階調を表示している。例えば、Ｍの階調模様１１ｍは、基本色の階調が「Ｒ：６３、Ｇ：０、Ｂ：６３」のマス目１１ｍ−６３から、基本色の階調が「Ｒ：０、Ｇ：０、Ｂ：０」のマス目１１ｍ−０までを順に並べて構成されている。つまり、テストパターン１１ａは、階調を示すデジタルデータによって提供可能な最高の分解能によって階調模様を表示するように設定されている。
【００４６】
複数の階調模様は、それらを互いに対比できるように並べて配置される。複数の階調模様は、互いに隣接して並べられている。複数の階調模様は、共通の基本色を少なくともひとつ含む２つの混合色が、互いに対比可能な程度に接近した状態で並べられる。Ｒに関しては、Ｒを含む２つの混合色であるＭとＣとが隣接して並べられる。Ｇに関しては、Ｇを含む２つの混合色であるＣとＹとが隣接して並べられる。Ｂに関しては、Ｂを含む２つの混合色であるＹとＭとは、離れているが、依然として対比可能な程度の接近した位置において並べられている。図示の例においては、Ｍの階調模様１１ｍと、Ｃの階調模様１１ｃと、Ｙの階調模様１１ｙとが並べられている。
【００４７】
複数の階調模様は、階調の変化方向が互いに一致するように並べられている。複数の階調模様は、階調の増加方向が互いに一致するように並べられている。複数の階調模様は、それらの階調の増加方向が互いに平行になるように並べられている。複数の階調模様は、それらの起点が同一線上に並び、それらの終点が同一線上に並ぶように配置されている。複数の階調模様は、同じ幅ごとに、同じ単位階調づつ増減するように表示される。複数の階調模様のそれぞれは、起点から終点に向けて、階調を徐々に増加させることによって、あるいは徐々に減少させることによって表示される。階調の変化は、表示器１１上においては、その混合色の輝度の変化として視認される。
【００４８】
上述のように、接続線１８は、コネクタにおいて接触不良を生じるおそれがある。この接触不良は、特定のビットの欠落を生じる。この場合、画像表示装置１０は、画像を正常に表示することができない。上述のテストパターン１１ａを表示する場合にも、テストパターン１１ａが正確に再現されない。欠落するビットが下位ビットである場合、階調の差が小さい。例えば、階調が６４段階の場合、最下位ビットは、階調の１／６４の微小な差を与えるだけである。下位第２ビットは、階調の１／３２の微小な差を与えるだけである。このような階調の微小な差は、表示器１１上における微小な輝度の差に表れる。そのような輝度の微小な差を、検査者の肉眼によって、あるいは自動検査装置の画像認識装置によって識別することは容易ではない。しかし、この実施形態では、テストパターン１１ａが改良されている。このため、下位ビットの異常がわかりやすく表示される。
【００４９】
図４は、正常時の階調を示す平面図である。正常時には、すべての階調模様１１ｍ、１１ｃ、１１ｙが最大の分解能で表示される。このとき、階調模様１１ｍ、１１ｃ、１１ｙは、滑らかな色の変化を示す。しかも、すべての階調模様１１ｍ、１１ｃ、１１ｙの輝度の変化は、互いに同程度に滑らかである。例えば、階調模様１１ｍと階調模様１１ｃとの間に、輝度変化の顕著な差は見られない。また、階調模様１１ｃと階調模様１１ｙとの間にも、輝度変化の顕著な差は見られない。また、階調模様１１ｙと階調模様１１ｍとの間にも、輝度変化の顕著な差は見られない。
【００５０】
図５は、異常時の階調を示す平面図である。ここでは、Ｒの階調を指示するための信号線のうち、最下位ビットだけが断線した場合を示している。この場合、１、３、５・・・６１、６３の情報が欠落する。よって、Ｒは、３２段階の階調によって表示される。この場合、Ｒだけが３２段階の階調となり、ＧとＢは６４段階の階調になる。さらに、Ｒを成分に含むＭとＣも３２段階となる。図示の例では、階調模様１１ｍと階調模様１１ｃが３２段階となり、階調模様１１ｙが６４段階となる。
【００５１】
言い換えると、２つの階調模様１１ｍ、１１ｃの階調変化が、最下位ビットの異常を反映する。このため、最下位ビットの異常に起因する階調変化が、広い面積にわたって表示される。従って、階調の異常が検知されやすい。
【００５２】
また、異常を生じている基本色を含む混合色の階調模様は、異常な階調模様に変化する。その一方、その基本色を含まない混合色の階調模様は正常な階調模様である。従って、２つの階調模様を対比することができるので、異常が検知されやすい。図示の例においては、階調模様１１ｙには最高の分解能による正常な階調模様１１ｙが表示される。このため、階調模様１１ｙは、参照用階調模様として機能する。検査者または検査装置は、正常な階調模様１１ｙを参照しながら、２つの階調模様１１ｍ、１１ｃの異常を判定することができる。
【００５３】
さらに、異常な階調模様に共通する基本色は既知である。よって、階調変化に異常が見出された２つの混合色に共通の基本色を判定することによって、異常を生じている基本色、すなわち異常を生じている接続線を特定することができる。
【００５４】
さらに、基本色であるＲＧＢ三色を並べるよりも、検査者が見やすく、画像認識装置によっても撮影しやすい表示を提供することができる。例えば、Ｂに関しては、Ｂの階調が低下すると黒との識別が困難である。これに対して混合色は比較的鮮やかな色である。このため、階調変化の差が、見やすく、あるいは検出しやすく表示される
このように、この実施形態によると、わずかな階調変化の異常を見やすく表示できる。このため、色の階調を指定するデジタルデータの一部のビットに異常があることを、階調模様の表示によって検知可能とすることができる。さらに、デジタルデータの下位数ビットのいずれかに異常が発生しても、その異常を検知可能とすることができる。さらに、複数の色のいずれかに異常が生じているのかを特定することができる。
【００５５】
（他の実施形態）
以上、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００５６】
例えば、８ビットのすべてを階調の指令に利用して、２５６段階の階調を表示してもよい。例えば、ＲＧＢＣＭＹの六色を基本色とするシステムに本発明を適用してもよい。この場合、三色より多い混合色を使うことができる。また、複数の階調模様は、上下方向に階調が変化するように配置されてもよい。また、複数の階調模様は、放射状、あるいは同心状に配置されてもよい。また、表示器１１は、液晶表示器に限らず、カラーの階調表示が可能な表示装置を用いることができる。例えば、ＣＲＴ表示器、プラズマ表示器などを用いることができる。
【符号の説明】
【００５７】
１  車載情報システム、１０  画像表示装置、２０  車載映像機器、３０  外部カメラ、４０  スイッチ装置、１１  表示器。
【図１】
0005338760.tif 000002
【図２】
0005338760.tif 000003
【図３】
0005338760.tif 000004
【図４】
0005338760.tif 000005
【図５】
0005338760.tif 000006